(57)【特許請求の範囲】
【請求項１】
玄関先に設置されるドアホンと、該ドアホンと接続されて住戸内に設置され、移報入力部と表示部とを有する住宅情報盤と、を各住戸に設置したインターホンシステムにおいて、
少なくとも一つの住戸内に設置され、電池によって電源供給される複数の火災警報器と、
少なくとも一つの前記住戸内に設置され、電池によって電源供給され、移報出力部を有し、前記住宅情報盤とは別体に構成された中継器と、
を備え、前記中継器の移報出力部と前記住宅情報盤の移報入力部とを、移報信号線で接続し、
前記各火災警報器は、火災を検出したときに火災警報を行うとともに連動制御信号を無線送信し、他の火災警報器から無線送信される連動制御信号を受信すると連動警報を行い、
前記中継器は、前記各火災警報器から無線送信される連動制御信号を受信したときに、連動警報を行うとともに、前記住宅情報盤の移報入力部に接続される移報信号線に、前記移報出力部から移報信号を有線出力し、
前記住宅情報盤は、前記移報入力部に移報信号が入力したときに、前記表示部で移報表示し、また、前記ドアホンの表示灯を点灯させて、住戸内の火災状況を集中管理して、火災警報システムを構成する
ことを特徴とするインターホンシステム。
【請求項２】
前記複数の火災警報器と中継器とを各住戸に設置し、各住戸において、前記中継器の移報出力部と前記住宅情報盤の移報入力部とを、移報信号線で接続し、
前記住宅情報盤は、移報信号を出力する移報出力部を有し、
また、各住宅情報盤と接続され、各住宅情報盤の移報出力部からの移報信号を入力して移報状態を表示する集中表示器を管理室に設置し、
前記住宅情報盤は、前記移報入力部に移報信号が入力したときに、前記移報出力部から移報信号を出力して前記集中表示器に移報状態を表示させる
請求項１記載のインターホンシステム。
【発明の詳細な説明】
【技術分野】
【０００１】
この発明は、インターホンシステムに関する。
【背景技術】
【０００２】
比較的小規模な集合住宅や、築年数が経過している集合住宅においては、各住戸に個別のインターホンが設けられていることが多い（例えば、特許文献１参照）。つまり、玄関先に設置されるドアホンと、住戸内に設置された住宅情報盤とを接続して、各住戸はインターホン通話を可能としている。そして、住宅情報盤には、例えば、コールボタンなどが有線接続される移報入力部と、移報入力部に移報信号が入力したときに移報表示する表示部とを有し、居住者によるコールボタンのオンによって、住宅情報盤は、移報入力部に移報入力がなされて、移報状態を表示することもできる。
【０００３】
さらに、各住戸の移報状態を集中管理するために、各住宅情報盤と個別に接続されて、各住戸の移報信号を入力して表示する集中表示器を管理室に設置したインターホンシステムが設けられていることも多い。
【先行技術文献】
【特許文献】
【０００４】
【特許文献１】特開２００６−２８７３３２号公報
【発明の概要】
【発明が解決しようとする課題】
【０００５】
上記のような比較的小規模な集合住宅や、築年数が経過している集合住宅においては、自動火災報知設備が十分に整っていないケースがある。このような建物で一般の自動火災報知設備を設置するには、新たな機器の設置とともに、大掛かりな配線工事などが必要になり、居住者が実際に生活をしている場合には大きな制約を受けることになる。また、単独あるいは無線で連動する火災警報器を設置すれば大掛かりな工事は必要ないが、異常が発生したときの集中管理という点では自動火災報知設備には劣る。
【０００６】
そこで、本発明は、既存のインターホンシステムを利用して、簡便に火災報知システムを構築することを目的とする。
【課題を解決するための手段】
【０００７】
この発明は、玄関先に設置されるドアホンと、該ドアホンと接続されて住戸内に設置され、移報入力部と表示部とを有する住宅情報盤と、を各住戸に設置したインターホンシステムにおいて、少なくとも一つの住戸内に設置され、電池によって電源供給される複数の火災警報器と、少なくとも一つの前記住戸内に設置され、電池によって電源供給され、移報出力部を有し、前記住宅情報盤とは別体に構成された中継器と、を備え、前記中継器の移報出力部と前記住宅情報盤の移報入力部とを、移報信号線で接続し、前記各火災警報器は、火災を検出したときに火災警報を行うとともに連動制御信号を無線送信し、他の火災警報器から無線送信される連動制御信号を受信すると連動警報を行い、前記中継器は、前記各火災警報器から無線送信される連動制御信号を受信したときに、連動警報を行うとともに、前記住宅情報盤の移報入力部に接続される移報信号線に、前記移報出力部から移報信号を有線出力し、前記住宅情報盤は、前記移報入力部に移報信号が入力したときに、前記表示部で移報表示し、また、前記ドアホンの表示灯を点灯させて、住戸内の火災状況を集中管理して、火災警報システムを構成することを特徴とする。
【０００８】
また、前記複数の火災警報器と中継器とを各住戸に設置し、各住戸において、前記中継器の移報出力部と前記住宅情報盤の移報入力部とを、移報信号線で接続し、前記住宅情報盤は、移報信号を出力する移報出力部を有し、また、各住宅情報盤と接続され、各住宅情報盤の移報出力部からの移報信号を入力して移報状態を表示する集中表示器を管理室に設置し、前記住宅情報盤は、前記移報入力部に移報信号が入力したときに、前記移報出力部から移報信号を出力して前記集中表示器に移報状態を表示させる。
【発明の効果】
【０００９】
この発明は、玄関先に設置されるドアホンと、該ドアホンと接続されて住戸内に設置され、移報入力部と該移報入力部に移報信号が入力したときに移報表示する表示部とを有する住宅情報盤と、を各住戸に設置したインターホンシステムにおいて、火災を検出したときに連動制御信号を無線送信する火災警報器と、該火災警報器からの無線による連動制御信号を受信したときに、移報信号を有線出力する移報出力部を有する中継器と、を少なくとも一つの住戸に設置し、前記中継器の移報出力部と前記住宅情報盤の移報入力部とを移報信号線を介して接続するようにしたので、既存の住宅情報盤の移報入力部に、移報信号線を介して、中継器を接続するだけの簡便な配線工事のみで、住戸内の火災状況を住宅情報盤で集中管理することができる。
【００１０】
また、前記住宅情報盤は、移報信号を出力する移報出力部を有し、また、各住宅情報盤と接続され、各住宅情報盤の移報出力部からの移報信号を入力して移報状態を表示する集中表示器を管理室に設置したので、各住戸（火災警報器と中継器とを設置した住戸）の火災状況を、既存の集中表示器で集中管理することができる。
【図面の簡単な説明】
【００１１】
【図１】本発明の実施の形態１に係るインターホンシステム１００を示す構成図。
【図２】図１のドアホン１０と住宅情報盤２０と集中表示器３０とを示すブロック図。
【図３】図１の火災警報器４０を示すブロック図。
【図４】図１の中継器５０を示すブロック図。
【発明を実施するための形態】
【００１２】
本発明の実施の形態を図１乃至図４により説明する。図１は本発明の実施の形態１に係るインターホンシステム１００を示す図、図２は図１のドアホン１０と住宅情報盤２０と集中表示器３０とを示すブロック図、図３は図１の火災警報器４０を示すブロック図、図４は図１の中継器５０を示すブロック図である。
【００１３】
図１は、本発明の実施の形態１に係るインターホンシステム１００を示す構成図である。
【００１４】
インターホンシステム１００は、例えば集合住宅に設置され、各住戸の玄関先に設置されたドアホン１０と、各住戸内に設置された住宅情報盤２０と、管理人室に設置された集中表示器３０とを有する。
【００１５】
各住戸において、ドアホン１０と住宅情報盤２０とは、電源兼通話線Ｌ及び表示灯線Ｌ１によって接続されている。各住戸の住宅情報盤２０と集中表示器３０とは、個別の非常通報線Ｌ３によって接続されているが、単一の非常通報線Ｌ３で接続することもできる。
【００１６】
さらに、本発明の要部として、インターホンシステム１００は、住戸内に設置された無線式連動型の火災警報器４０と中継器５０とを有する。火災警報器４０と中継器５０とは、無線によって通信接続される。中継器５０と住宅情報盤２０とは、移報信号線Ｌ４によって接続されている。なお、火災警報器４０と中継器５０とは、図１では、最上階の住戸に設置されているものが図示されているが、その他の住戸にも設置されている。また、図示しないが、最上階の住戸内には、複数の火災警報器４０（例えば、親機１台と子機３台）が設置されているものとする。なお、火災警報器４０と中継器５０とによる警報器グループは、少なくとも一つの住戸内に設置されていればよく、全ての住戸内に設置されていなくてもよい。
【００１７】
図２は、図１のドアホン１０と住宅情報盤２０と集中表示器３０とを示すブロック図である。
【００１８】
ドアホン１０は、呼出釦１１と、呼出回路１２と、通話回路１３と、電源回路１４と、表示灯１５と、マイクＭＣ１と、スピーカＳＰ１とを有する。
【００１９】
呼出回路１２は、ドアホン１０の呼出釦１１が押されたことを検出し、この検出によって、電源兼通話線Ｌの電圧をたとえば５Ｖから２Ｖに低下させることによって、呼出信号を住宅情報盤２０に出力する。通話回路１３は、住宅情報盤２０の通話回路２５と通話する回路である。
【００２０】
表示灯１５は、住宅情報盤２０の移報入力部２７に移報信号が入力されているときに、住宅情報盤２０の制御回路２１の制御によって、点灯するものである。
【００２１】
住宅情報盤２０は、制御回路２１と、呼出検出回路２２と、呼出音発生回路２３と、操作手段２４と、通話回路２５と、音声出力回路２６と、移報入力部２７と、移報出力部２８と、表示部２９と、マイクＭＣ２と、スピーカＳＰ２と、通話用スイッチＳＷ１と、電源供給回路ＰＳ１とを有する。
【００２２】
制御回路２１は、住宅情報盤２０の全体を制御する。呼出検出回路２２は、電源兼通話線Ｌの電圧がたとえば５Ｖから２Ｖに低下することによってドアホン１０からの呼出信号を検出する。呼出音発生回路２３は、ドアホン１０の呼出ボタン１１が押されると、スピーカＳＰ２から「ピンポン」等の呼出音を発生させる回路である。操作手段２４は、図示しない通話釦等のキーを具備する。
【００２３】
通話回路２５は、ドアホン１０の通話回路１３と通話する回路である。音声出力回路２６は、「移報信号が入力しました」等の音声メッセージを記憶し、移報入力部２７が移報信号を入力したときに、制御回路２１の制御によって、通話回路２５を介して、この音声メッセージをスピーカＳＰ２から出力させる。また、この音声メッセージは、制御回路２１の制御によって、通話回路１３を介して、ドアホン１０のスピーカＳＰ１から出力される。
【００２４】
通話用スイッチＳＷ１は、ドアホン１０の呼出釦１１が押され、その後、操作手段２４の通話釦が押されると、制御回路２１によってオンされ、ドアホン１０の通話回路１３と住宅情報盤２０の通話回路２５とを接続して、インターホン通話を可能にする。
【００２５】
移報入力部２７は、移報信号線Ｌ４を介して、中継器５０からの移報信号の入力状態を検出し、移報信号が入力されたときに、移報信号を制御回路２１に出力する。
【００２６】
移報出力部２８は、制御回路２１に移報信号が入力されているときに、制御回路２１の制御によって、非常通報線Ｌ３を介して、移報信号を集中表示器３０に出力する。
【００２７】
表示部２９は、移報入力部２７が移報信号を入力したときに、制御回路２１の制御によって、移報状態を表示する。
【００２８】
集中表示器３０は、制御回路３１と、移報入力部３２と、表示部３３とを有する。
【００２９】
制御回路３１は、集中表示器３０の全体を制御する。移報入力部３２は、非常通報線Ｌ３を介して、住宅情報盤２０からの移報信号の入力状態を検出し、移報信号が入力されたときに、移報信号を制御回路３１に出力する。表示部３３は、制御回路３１に移報信号が入力されているときに、制御回路３１の制御によって、各住戸における移報状態を表示する。
【００３０】
図３は、図１の火災警報器４０を示すブロック図である。火災警報器４０は、制御回路４１と、電池４２と、電源回路４３と、送受信回路４５と、アンテナ４６と、火災検出回路４７と、警報音制御回路４８と、表示灯回路４９とを有する。
【００３１】
電池４２は、電源回路４３に直流電源を供給する。電源回路４３は、電池４２の電圧を所定電圧に制御し、制御回路４１、送受信回路４５、火災検出回路４７、警報音制御回路４８、表示灯回路４９に供給する。
【００３２】
火災検出回路４７は、火災現象に基づく煙または熱等の検知対象物物理量または物理的変化を検出して、検出内容に応じた信号を制御回路４１に出力する。警報音制御回路４８は、ブザー・スピーカ等による音声または音響鳴動動作を制御する回路である。表示灯回路４９は、発光ダイオード等の表示灯の点灯動作を制御する回路である。
【００３３】
送受信回路４５は、無線信号を送受信するためのアンテナ４６に接続されており、受信回路の動作として、所定周期で受信サンプリング動作を行ってアンテナ４６から入力された無線信号を検出して受信処理を行う。受信処理した信号は、制御回路４１へ出力する。また、送信回路の動作として、制御回路４１に制御されて、後述する連動制御信号、などの送信処理を行う。
【００３４】
制御回路４１は、火災警報器４０全体を制御する。制御回路４１は、火災検出回路４７によって出力された信号に基づいて火災状態等を判別する機能を有し、送受信回路４５が受信した信号に基づいて必要な処理を行うとともに、他の火災警報器４０、中継器５０から連動制御信号を受信したときには、送受信回路４５を制御して他の火災警報器４０、中継器５０に連動制御信号を送信する、連動制御信号の中継機能を有する。
【００３５】
また、火災状態であると判別した場合には、警報音制御回路４８及び表示灯回路４９を制御して音声及び表示灯によって火災警報を行うとともに、送受信回路４５を制御して他の火災警報器４０、中継器５０に対して、連動制御信号を送信する。
【００３６】
ここで、上記連動制御信号とは、火災を検出したことを他の火災警報器４０、中継器５０に伝えて、他の火災警報器４０、中継器５０からも火災警報（連動警報）を出力させるための信号である。
【００３７】
なお、制御回路４１は、ＥＥＰＲＯＭなどの不揮発性メモリを内部に有し、制御回路４１が実行するプログラムや各種データを格納している。データの一例としては、設置環境（例えば集合住宅内）で各火災警報器４０、中継器５０自身に固有のアドレスである自己アドレスを格納している。
【００３８】
図４は、図１の中継器５０を示すブロック図である。中継器５０は、火災警報器４０における制御回路４１、電池４２、電源回路４３、送受信回路４５、アンテナ４６、警報音制御回路４８、表示灯回路４９と同様の機能である制御回路５１と、電池５２と、電源回路５３と、送受信回路５５と、アンテナ５６と、警報音制御回路５８と、表示灯回路５９とを有する。そして、火災警報器４０との相違点として、中継器５０は、火災検出回路４７がない一方、移報出力部５７が追加されている。移報出力部５７には、移報信号線Ｌ４が接続されている。
【００３９】
移報出力部５７は、送受信回路５５が連動制御信号を受信したときに、制御回路５１の制御によって、移報信号を移報信号線Ｌ４から有線出力する。
【００４０】
次に、上記実施例の動作について説明する。
【００４１】
図１において、例えば最上階の住戸内で火災が発生すると、火元付近の火災警報器４０は、火災検出回路４７によって出力された信号に基づいて、制御回路４１が火災と判断する。そして、警報音制御回路４８及び表示灯回路４９を制御して音声及び表示灯によって火災警報を行うとともに、送受信回路４５を制御して、同じ住戸内の他の火災警報器４０、中継器５０に対して、連動制御信号を送信する。
【００４２】
他の火災警報器４０は、送受信回路４５によって連動制御信号が受信されると、制御回路４１が他の火災警報器４０で火災が検出されたと判別する。そして、警報音制御回路４８及び表示灯回路４９を制御して音声及び表示灯によって連動警報を行う。連動警報としては、警報音の鳴動および表示灯の発光を、火災警報とは異ならせているが、同様としてもよい。また、制御回路４１は、送受信回路４５を制御して他の火災警報器４０、中継器５０に対して、連動制御信号を送信する。このように、連動制御信号を中継することによって、火災を検出した火元付近の火災警報器４０からの設置距離が遠く、火災を検出した火元付近の火災警報器４０からの連動制御信号を受信できない火災警報器４０が存在したとしても、確実に連動制御信号を受信させることができる。
【００４３】
一方、中継器５０も他の火災警報器４０と同様に上記動作を行う。つまり、中継器５０は、送受信回路５５によって連動制御信号が受信されると、制御回路５１が火災警報器４０で火災が検出されたと判別する。そして、警報音制御回路５８及び表示灯回路５９を制御して音声及び表示灯によって連動警報を行う。また、制御回路５１は、送受信回路５５を制御して他の火災警報器４０に対して、連動制御信号を送信する。
【００４４】
さらに、中継器５０は、送受信回路５５によって連動制御信号が受信されると、制御回路５１によって、移報信号線Ｌ４を介して、移報出力部５７から移報信号を出力する。
【００４５】
住宅情報盤２０の移報入力部２７は、移報信号線Ｌ４を介して、移報信号を入力すると、制御回路２１に移報信号を出力する。制御回路２１は、移報信号が入力されると、非常通報線Ｌ３を介して、移報出力部２８から移報信号を集中表示器３０に出力する。
【００４６】
また、制御回路２１は、音声出力回路２６の音声出力制御を行って、スピーカＳＰ２から「移報信号が入力しました」等の音声メッセージを出力させる。これによって、住戸内の火災状況を住宅情報盤２０で集中管理することができる。
【００４７】
このとき、制御回路２１は、通話用スイッチＳＷ１もオンすることによって、ドアホン１０の通話回路１３と住宅情報盤２０の通話回路２５とを互いに接続し、ドアホン１０のスピーカＳＰ１から「移報信号が入力しました」等の音声メッセージを出力させる。制御回路２１は、表示灯線Ｌ１を介して、ドアホン１０の表示灯１５も点灯させる。これによって、住戸内の火災状況を住戸外に知らしめることができる。なお、制御回路２１は、音声メッセージを出力させた後は、通話用スイッチＳＷ１を元の状態に戻すように制御する。
【００４８】
集中表示器３０の移報入力部３２は、非常通報線Ｌ３を介して、移報信号を入力すると、制御回路３１に移報信号を出力する。制御回路３１は、移報信号が入力されると、移報入力状態を表示部３３に表示させる。このとき、個別の非常通報線Ｌ３に対応させて、各住戸における移報入力状態を区別して表示する。これによって、各住戸の火災状況を、既存の集中表示器で集中管理することができる。
【００４９】
以上の通り、この実施の形態１では、必要な住戸内に火災警報器４０と中継器５０とを設置して火災警報システムを構成するときに、従来から備えられているインターホンシステム１００における住宅情報盤２０の移報入力部２７に、中継器５０を有線接続するだけで、火災警報システムを構成することができる。
【符号の説明】
【００５０】
１０  ドアホン、１１  呼出釦、１２  呼出回路、１３  通話回路、１４  電源回路、１５  表示灯、２０  住宅情報盤、２１  制御回路、２２  呼出検出回路、２３  呼出音発生回路、２４  操作手段、２５  通話回路、２６  音声出力回路、２７  移報入力部、２８  移報出力部、２９  表示部、３０  集中表示器、３１  制御回路、３２  移報入力部、３３  表示部、４０  火災警報器、４１  制御回路、４２  電池、４３  電源回路、４５  送受信回路、４６  アンテナ、４７  火災検出回路、４８  警報音制御回路、４９  表示灯回路、５０  中継器、５１  制御回路、５２  電池、５３  電源回路、５５  送受信回路、５６  アンテナ、５７  移報出力部、５８  警報音制御回路、５９  表示灯回路、ＳＰ１  スピーカ、ＭＣ１  マイク、ＳＰ２  スピーカ、ＭＣ２  マイク、ＰＳ１  電源供給回路、ＳＷ１  通話用スイッチ、Ｌ  電源兼信号線、Ｌ１  表示灯線、Ｌ３  非常通報線、Ｌ４  移報信号線。
【図１】
0005480590.tif 000002
【図２】
0005480590.tif 000003
【図３】
0005480590.tif 000004
【図４】
0005480590.tif 000005